(57)【要約】【課題】取り扱いが容易であるとともに、その汎用性の向上をはかる。【解決手段】拡径孔周面に接触可能な接触板２６をその先端に一体に有するアーム状の支持片２８と、この支持片を進退移動可能に支持する取付け基部３０との組み合わせによりなる軸掘りバケット用スタビライザ１０は、その一半径上での拡径孔に対する軸掘りバケットのセンタリング位置の調整可能な、一半径方向用の単体として形成されている。そして、この取付け基部３０に設けられた固定部による固定的支持のもとで、軸掘りバケット１４の上端開口縁１４ａに固定されるとともに、保持手段４１による取付け基部に対する固定的保持のもとで、取付け基部３０に対する支持片２８の進退位置が任意に調整、設定可能となっている。【選択図】          図１
2005002742.tif 000002
【特許請求の範囲】
【請求項１】
拡径孔に対する軸掘りバケットのセンタリング機能を有した軸掘りバケット用スタビライザであり、
拡径孔周面に接触可能な接触板をその先端に一体に有するアーム状の支持片と；
この支持片を進退移動可能に支持する取付け基部と；
の組み合わせにより、その一半径上での拡径孔に対する軸掘りバケットのセンタリング位置の調整可能な、一半径方向用の単体としてなり、
この取付け基部に設けられた固定部による固定的支持のもとで、軸掘りバケットの上端開口縁に固定されるとともに、所定の保持手段による取付け基部に対する固定的保持のもとで、取付け基部に対する支持片の進退位置を任意に調整、設定可能とした軸掘りバケット用スタビライザ。
【請求項２】
取付け基部の固定部が、取付け基部の前端部に設けられた前後一対の離間垂下片と；その後部垂下片側から前部垂下片方向への螺進を可能に設けられた挟持ボルトと；の組み合わせとしてなり、この離間垂下片間に介在された軸掘りバケットの上端開口縁を、挟持ボルトの螺進のもとで固定可能とした請求項１または２記載の軸掘りバケット用スタビライザ。
【請求項３】
支持片が、取付け基部に対して着脱可能に設けられるとともに、
軸掘りバケット外周面での、取付け基部の突出厚が、軸掘りバケットの外周面に部分的に突設された、サイドカッタの突出量に対応する厚さとして規定された請求項１または２記載の軸掘りバケット用スタビライザ。
【発明の詳細な説明】
【０００１】
【発明の属する技術分野】
この発明は、拡径孔に対するセンタリング機能を有する軸掘りバケット用スタビライザに関する。
【０００２】
【従来の技術】
アースドリル工法等の場所打ち杭工法により構築、造成される場所打ち杭の一つの形態として、たとえば、所定深度の拡径部を、その上部、つまり頭部に一体に有した、いわゆる拡頭杭がある。
【０００３】
そして、この拡頭杭のための杭孔、つまり拡頭杭孔の削孔にあたっては、通常、その頭部にあたる拡径孔が、対応する大径のドリリングバケット、いわゆる拡径掘りバケットによって所定深度まで一旦削孔され、その後、拡頭杭の軸部にあたる軸孔が、この拡径孔のドリリングバケットより小径のドリリングバケット、いわゆる軸掘りバケットによって削孔される。
【０００４】
【発明が解決しようとする課題】
ところで、拡径孔を削孔した後に軸掘りバケットで軸孔を削孔する場合、この拡径孔に対する中心位置での軸掘りバケットの位置決め、つまりそのセンタリングが要求される。そこで、このセンタリングのための装置として、いわゆるスタビライザの利用が考えられる。
【０００５】
このような軸掘りバケットに利用可能なスタビライザとして、たとえば、実開平７−２９０９５号公報に開示のような、腕杆により支持されたスタビライザ本体を孔周面に接触させることでそのセンタリングを行う形態が挙げられる。
【０００６】
この種のスタビライザは、軸掘りバケットの連結軸等に連結される略環状の連結具を、環状のスタビライザ本体の中心位置に、腕杆等を介して一体的に有してなる、いわゆる一体型に形成されており、この形態のスタビライザによれば、杭孔内におけるスタビライザ本体の水平移動規制により、この杭孔、つまりは拡径孔に対する連結具、ひいては軸掘りバケットのセンタリングが確保可能となる。
【０００７】
ここで、この種の公知のスタビライザにおいては、スタビライザ本体の外径に、杭孔の対応部分、つまり拡径孔内を摺動し得る程度の直径が要求されるため、その全半径方向を一括して位置決めする公知の一体型のスタビライザであると、スタビライザ自体が、拡径掘りバケットと同等の大きさを持つことになる。つまり、この種の公知のスタビライザにおいては、その大型化、および大型化に伴う重量化当が避けられないため、その取り扱いが容易ではない。
【０００８】
ところで、拡径孔に続く軸孔の削孔にあたってのスタビライザの使用時期は、拡径孔内での軸孔削孔位置の特定時、つまり拡径孔の中心位置の特定時であり、拡径孔の中心位置をある程度特定した後においては、このスタビライザの存在自体が軸孔の継続削孔の妨げとなることから、その特定後においては、このスタビライザ自体の取り外しが必須となる。
【０００９】
しかしながら、一体型としてなる公知のスタビライザは、上述したような大型のものであり、また、その取り外しの際においては、ケリーバー、連結軸間を分離した後における連結具の抜去等が必要となることから、その取り外し作業が大掛かりになりやすく、その作業性の低下も避けられなくなる。
【００１０】
そして、この種の公知のスタビライザにおいては、その外径自体が固定寸法であるため、拡径部の孔径の種類に対応した数だけ、そのスタビライザも必要となる。つまり、公知のスタビライザが、単体としてのスタビライザの汎用性に劣ることは避けられない。
【００１１】
この発明は、取り扱いが容易であるとともに、その汎用性に優れた軸掘りバケット用スタビライザの提供を目的としている。
【００１２】
【課題を解決するための手段】
この目的を達成するために、この発明の請求項１に係る軸掘りバケット用スタビライザは、拡径孔周面に接触可能な接触板をその先端に一体に有するアーム状の支持片と、この支持片を進退移動可能に支持する取付け基部との組み合わせにより、その一半径上での拡径孔に対する軸掘りバケットのセンタリング位置の調整可能な、一半径方向用の単体として形成されている。そして、この取付け基部に設けられた固定部による固定的支持のもとで、軸掘りバケットの上端開口縁に固定されるとともに、所定の保持手段による取付け基部に対する固定的保持のもとで、取付け基部に対する支持片の進退位置を任意に調整、設定可能としたものとして、この軸掘りバケット用スタビライザは構成されている。
【００１３】
また、この発明の請求項２においては、取付け基部の固定部が、取付け基部の前端部に設けられた前後一対の離間垂下片と、その後部垂下片側から前部垂下片方向への螺進を可能に設けられた挟持ボルトとの組み合わせとして具体化されている。
【００１４】
さらに、この発明の請求項３においては、支持片が、取付け基部に対して着脱可能に設けられるとともに、軸掘りバケット外周面での、取付け基部の突出厚が、軸掘りバケットの外周面に部分的に突設された、サイドカッタの突出量に対応する厚さとして規定されている。
【００１５】
【発明の実施の形態】
以下、図面を参照しながらこの発明の実施の形態について詳細に説明する。
【００１６】
図１、図２に示すように、この発明に係る軸掘りバケット用スタビライザ１０は、その一半径上での拡径孔１２に対する軸掘りバケット１４のセンタリング位置を調整可能とする、一半径方向用の単体としてなり、この発明においては、軸掘りバケットの上端開口縁１４ａに対する固定配置を可能に、この軸掘りバケット用スタビライザは形成されている。
【００１７】
たとえば図３に示すような、拡径部１６ａを軸部１６ｂの上部、つまり頭部に一体に有した、いわゆる拡頭杭１６が、アースドリル工法等の場所打ち杭工法により構築、造成される杭（場所打ち杭）の一つの形態としてある。
【００１８】
このような拡頭杭（場所打ち杭）１６の構築、造成にあたっては、図４（Ａ）に示すように、拡頭部をなす拡径孔１２を所定深度、たとえば深度Ｌ１だけ、対応する径を持つドリリングバケット、つまり拡径掘りバケット１８によって掘り下げ、その後、図４（Ｂ）に示すように、この拡径掘りバケットより小径のドリリングバケット、つまり軸掘りバケット１４により、この拡径孔に連続する軸孔２０をさらに掘り下げることによって、拡頭杭の構築、造成ベースとなる杭孔、つまりは拡頭杭孔２２が地盤２４に削孔される。そして、その後、この拡頭杭孔２２に鉄筋（図示しない）を建て込み、さらにコンクリート材等のグラウト材をこの拡頭孔内に打設することによって、この拡頭孔形状に対応した場所打ち杭、つまり拡頭杭１６が構築、造成される（図３参照）。
【００１９】
なお、下端に掘削刃を有した所定径のドリリングバケットによって対応径の杭孔を掘り下げ、この杭孔内に鉄筋を建て込んだ後にコンクリート材等のグラウト材を打設して対応形状の杭、つまりは場所打ち杭を構築、造成する、上述したアースドリル工法自体は、実開平７−２９０９５号公報等においても開示されている公知の工法であり、この工法自体はこの発明の趣旨でないため、この工法に対する詳細な説明は、ここでは省略する。
【００２０】
ところで、図４（Ａ）に示すような、拡径孔１２の掘削後、これに続く軸孔２０をさらに掘削する場合、図４（Ｂ）に示すような、拡径孔に対する中央位置での軸掘りバケット１４の位置決め、つまりセンタリングが要求される。そして、この拡径孔１２に対する軸掘りバケット１４のセンタリング機能を有するものとして、この発明のスタビライザ１０が提供されている（図１参照）。
【００２１】
図１、図２に加えて図５を見るとわかるように、このスタビライザ１０は、拡径孔１２の内周面に接触可能な接触板２６をその先端に一体に有するアーム状の支持片２８と、この支持片を進退移動可能に支持する取付け基部３０との組み合わせとして形成されている。そして、この取付け基部３０に設けられた固定部３２による固定的支持のもとで、軸掘りバケットの上端開口縁１４ａに対する固定配置を可能に、このスタビライザ１０は形成されている。
【００２２】
なお、参照符号３３は、支持片２８に対する接触板２８の連結補剛部材として機能する補剛板であり、この補剛板を含む支持片、接触板間の一体固定により、その連結部分での剛性強化がはかられている。
【００２３】
この取付け基部の固定部３２としては、図２、および図５に示すような、たとえば、取付け基部３０の前端部に設けられた前後一対の離間垂下片３４ｆ，３４ｒと、このうちの後部垂下片３４ｒに、その螺進、螺退を可能に螺着保持された挟持ボルト３６との組み合わせとしてなる、いわゆる万力形態のものが例示できる。
【００２４】
なお、挟持ボルト３６は、たとえば、この挟持ボルトの遊挿される大径孔、いわゆるバカ孔３８に整列して固着された、後部垂下片３４ｒのナット（固着ナット）４０に対する螺着のもとで、この後部垂下片に対する螺進、螺退を可能に配設され、この挟持ボルトと前部垂下片３４ｆとによる上端開口縁１４ａの挟持のもとで、軸掘りバケット１４に対する取付け基部３０、ひいてはスタビライザ１０の固定配置がはかられる。
【００２５】
また、この取付け基部３０は、その内部に支持片２８を摺挿可能とする端面略コ字形状に形成され、たとえば、保持手段４１による固定的な保持のもとで、この取付け基部に対する支持片２８の進退規制、および離脱規制を可能に構成されている。
【００２６】
図５に示すように、たとえば、取付け基部の上下片３０ａ，３０ｂに、係止ピン、たとえばボルト４２の挿通可能な一対の整列孔４３，４４を等間隔おきに設けるとともに、この整列孔にさらに整列するバカ孔４６を、同ピッチで支持片２８に設けたものとして、この実施の形態における保持手段４１は具体化されている。
【００２７】
なお、この実施の形態においては、取付け基部の上片３０ａの整列孔４３が、支持片のバカ孔４６と同様のバカ孔として、また、その下片３０ｂの整列孔４４が、ボルト４２の螺着されるねじ孔として、それぞれ形成されている。
【００２８】
ここで、この下片３０ｂの整列孔４４は、ねじ孔であることに限定されない。また、ボルト４２は、上下片の整列孔４３，４４、および支持片のバカ孔４６を貫通することで取付け基部３０に対する支持片２８の進退規制をはかれば足りるため、ボルトではなく、単なる挿通ピンを、このボルトに代わる係止ピンとしてもよい。
【００２９】
また、この実施の形態のように、この構成においては、取付け基部３０に対する水平方向への回動を規制可能に、支持片２８を、取付け基部に対し、前後２本のボルト４２によって保持することが望ましい。
【００３０】
なお、この実施の形態においては、２本のボルト４２を、隣接する位置で貫通挿着しているが、いわゆる２点支持のもとで、取付け基部３０に対する支持片２８の回動規制がはかられれば足りるため、これに限定されず、たとえば、整列孔を一つ挟んだ飛び位置に、２本のボルトを配する構成としてもよい。
【００３１】
上述したように、この発明のスタビライザ１０は、その一半径上での拡径孔１２に対する軸掘りバケット１４のセンタリング位置を調整可能とする、一半径方向用の単体として形成されている。つまり、図１に示すように、この発明のスタビライザ１０は、軸掘りバケット１４の円周上の複数箇所、たとえば等間隔に離反した４ヶ所等で、支持片の接触板２６を外方に向けて固定配置される。そして、軸掘りバケット１４を拡径孔１２に対する中央位置に合わせるように、取付け基部３０に対する支持片２８の延出量を適宜調整することによって、拡径孔に対する軸掘りバケットのセンタリングがはかられる。
【００３２】
つまり、この発明のスタビライザ１０は、その全半径方向を一括して位置決めする一体型の構成と異なり、複数の単体を軸掘りバケット１４に組み合わせることで、拡径孔１２に対する軸掘りバケット１４のセンタリングを行うものであるため、スラビライザ単体の大きさは、一体型の公知のものに比較して格段に小さくなる。
【００３３】
そして、その大きさの低減により、その重量も格段に軽減されるため、スタビライザ１０の取り扱い自体が十分に容易化される。
【００３４】
さらに、この発明のスタビライザ１０によれば、固定部３２による、軸掘りバケットの開口上端縁１４ａに対する取付け基部３０の固定、およびこの固定部での固定解除により、軸掘りバケット１４に対するスタビライザ自体の着脱が行えるため、その着脱作業も十分に簡単化される。
【００３５】
つまり、この発明の軸掘りバケット用スタビライザ１０によれば、取り扱いの容易さに加えた着脱作業の簡単化も十分に確保できるため、全体的な作業性の低下を伴うことのない拡頭杭１６の構築、造成作業が適切に確保可能となる。
【００３６】
そして、この発明のスタビライザ１０によれば、取付け基部３０に対する支持片２８の延出量が任意に調整、設定可能となっている。つまり、その対応径の固定された公知の構成と異なり、この発明によれば、１機種のスタビライザであっても、対応可能となる孔径は複数種類に亘るため、多種の孔径に適応可能な汎用性に優れたスタビライザ１０が、容易に確保可能となる。
【００３７】
ところで、このスタビライザ１０における支持片２８は、取付け基部３０に対する進退移動の可能な構成であるばかりでなく、取付け基部に対するその着脱をも可能とすることが望ましい。
【００３８】
そして、図６に示すように、軸掘りバケット１４に取付け基部３０を取り付けた際における、軸掘りバケット外周面での取付け基部の突出厚ｔ１を、軸掘りバケットの外周面に部分的に突設されたサイドカッタ４８の突出量に対応する厚さとして規定すれば、この取付け基部自体が、軸掘りバケットによる軸掘りの際のスタビライザとして機能可能となる。
【００３９】
このような、軸掘りの際のスタビライザとして、このスタビライザの取付け基部３０を機能させれば、別の、あるいは専用のスタビライザを用いることなく、ブレの抑制された軸掘りが可能となるため、この点においても、その作業性が確実に向上される。
【００４０】
ここで、この発明の実施の形態においては、前後一対の離間垂下片３４ｆ，３４ｒと挟持ボルト３６との組み合わせとして、取付け基部の固定部３２を具体化しているが、この固定部は、取付け基部３０を、軸掘りバケットの上端開口縁１４ａに着脱可能に固定できれば足りるものであるため、この構成に限定されるものではない。しかしながら、この実施の形態において具体化するこの構成によれば、簡単な構成にも拘らず、軸掘りバケットの上端開口縁１４ａに対する固定の確実性、およびその作業性が十分に高く確保できるため、これらの点において、この構成は優れているといえる。
【００４１】
また、同様に、この発明の実施の形態においては、取付け基部３０に対する支持片２８の保持手段４１として、取付け基部の整列孔４３，４４、および支持片のバカ孔４６と、これらに挿通可能な係止ピン４２との組み合わせを例示しているが、取付け基部に対する支持片の進退移動、および取付け基部からの支持片の離脱を規制可能とすれば足りるため、この保持手段もこの構成に限定されるものでなく、同様の機能を有すれば、他の構成を利用することも十分に可能である。
【００４２】
しかしながら、この実施の形態での構成によれば、簡単な構成にも拘らず、取付け基部に対する支持片の進退規制、および取付け基部からの支持片の離脱規制が、いずれも十分に可能であることから、その機能性の確保、およびその作業の確実性の向上等が十分に期待できる。
【００４３】
上述した実施の形態は、この発明を説明するためのものであり、この発明を何等限定するものでなく、この発明の技術範囲内で変形、改造等の施されたものも全てこの発明に包含されることはいうまでもない。
【００４４】
【発明の効果】
上記のように、一半径方向用の単体としてなる、この発明に係る軸掘りバケット用スタビライザによれば、スラビライザ単体の大きさ、および重量がいずれも十分に低減化できるため、スタビライザの取り扱い自体が十分に容易化される。
【００４５】
そして、固定部による取付け基部の固定、およびこの固定部での固定解除により、軸掘りバケットに対するスタビライザ自体の着脱が行えるため、その着脱作業も十分に簡単化される。
【００４６】
つまり、この発明の軸掘りバケット用スタビライザによれば、取り扱いの容易さに加えた着脱作業の簡単化も十分に確保できるため、全体的な作業性の低下を伴うことのない拡頭杭の構築、造成作業が適切に確保可能となる。
【００４７】
そして、この発明のスタビライザによれば、取付け基部に対する支持片の延出量が任意に調整、設定可能となっているため、その汎用化が十分に可能となる。
【００４８】
また、前後一対の離間垂下片と挟持ボルトとの組み合わせとして、取付け基部の固定部を形成すれば、簡単な構成にも拘らず、軸掘りバケットの上端開口縁に対する取付け基部の固定の確実性、およびその作業性が十分に高く確保できるため、これらの点において、この構成は優れているといえる。
【００４９】
さらに、軸掘りバケット外周面での取付け基部の突出厚を、軸掘りバケット周面でのサイドカッタの突出量に対応する厚さとして規定すれば、この取付け基部自体が、軸掘りバケットによる軸掘りの際のスタビライザとして機能可能となり、別の、あるいは専用のスタビライザを用いることなく、ブレの抑制された軸掘りが可能となるため、この点においても、その作業性が確実に向上される。
【図面の簡単な説明】
【図１】軸掘りバケットへの装着時における、この発明に係る軸掘りバケット用スタビライザの概略平面図である。
【図２】軸掘りバケット用スタビライザの概略斜視図である。
【図３】拡頭杭の概略縦断面図である。
【図４】拡頭杭孔の各掘削工程図である。
【図５】軸掘りバケット用スタビライザの概略縦断面図である。
【図６】支持片取り外し時における、軸掘りバケット用スタビライザの概略側面図である。
【符号の説明】
１０  軸掘りバケット用スタビライザ
１２  拡径孔
１４  軸掘りバケット
２２  拡頭杭孔
２６  接触板
２８  支持板
３０  取付け基部
３２  固定部
【図１】
2005002742.tif 000003
【図２】
2005002742.tif 000004
【図３】
2005002742.tif 000005
【図４】
2005002742.tif 000006
【図５】
2005002742.tif 000007
【図６】
2005002742.tif 000008